(57)【要約】【課題】  泡吐出器において、空気室における外水の長期に渡る滞留及び蓄積を防ぐこと。【解決手段】  泡吐出器１０であって、シリンダ３０の下部に空気室Ａの底部に連通する排水孔３５を備えるとともに、シリンダ３０の該排水孔３５を閉塞する閉塞体９０が設けられるもの。【選択図】  図１
2019172359.tif 000002
【特許請求の範囲】
【請求項１】
容器本体の口部に着脱可能に取付けられたキャップに対し往復動可能に設けられる頭部と、容器本体に着脱可能に設置されるシリンダとを有し、頭部の往復動により、容積可変の液室から内容液が、容積可変の空気室から空気が、それぞれ泡生成部に送出され、この内容液と空気が泡生成部で混合発泡されて生成した泡が頭部に設けた吐出口から吐出可能にされる泡吐出器であって、
シリンダの下部に空気室の底部に連通する排水孔を備えるとともに、シリンダの該排水孔を閉塞する閉塞体が設けられる泡吐出器。
【請求項２】
前記容器本体の内部に設置されたシリンダの下側に前記閉塞体が配置される請求項１に記載の泡吐出器。
【請求項３】
前記シリンダが空気室を形成する大径部と、大径部に連設される小径部とを有し、容器本体の内部に挿入されるディップチューブが該小径部に接続され、
前記閉塞体が、容器本体の口部に着脱可能に取付けられ、シリンダの下部に備えた前記排水孔を容器本体の内容液収容空間に対して仕切り、シリンダの下部との間に排水だまりを区画する仕切り壁を備えた仕切り栓からなり、仕切り栓の仕切り壁には、容器本体の内部に設置されたシリンダの小径部が隙間なく挿通される開口部が形成される請求項２に記載の泡吐出器。
【請求項４】
前記仕切り栓における仕切り壁の外周側に、液流通用窓部が形成される請求項３に記載の泡吐出器。
【請求項５】
前記頭部及びシリンダがキャップに嵌着され、該キャップが容器本体の口部に取付けられた仕切り栓に着脱可能に取付けられる請求項３又は４に記載の泡吐出器。
【発明の詳細な説明】
【技術分野】
【０００１】
本発明は泡吐出器に関する。
【背景技術】
【０００２】
特許文献１に記載の泡吐出器では、エアピストンの空気室に対する裏側上部に設けた外気取り込み室に取り込んだ外部の空気を、エアピストンに設けた空気吸入口から空気室に吸入している。
【先行技術文献】
【特許文献】
【０００３】
【特許文献１】特開2005-193972号公報
【発明の概要】
【発明が解決しようとする課題】
【０００４】
しかしながら、特許文献１に記載の泡吐出器では、外気取り込み室に取り込んだ外部の空気に、使用環境（例えば風呂場に泡吐出器を置き、シャワー水がかかる場合等）によっては外水が混入する場合があり、この外水が外部の空気とともに空気室に浸入し、空気室に一旦浸入した外水は滞留しやすく、外水の長期に渡る滞留によって菌等を発生したり、外水の長期に渡る多量の蓄積によって泡生成部に送出される空気量が減少して泡生成部での泡生成を損なうおそれがある。
【０００５】
本発明の課題は、泡吐出器において、空気室における外水の長期に渡る滞留及び蓄積を防ぐことにある。
【課題を解決するための手段】
【０００６】
請求項１に係る発明は、容器本体の口部に着脱可能に取付けられたキャップに対し往復動可能に設けられる頭部と、容器本体に着脱可能に設置されるシリンダとを有し、頭部の往復動により、容積可変の液室から内容液が、容積可変の空気室から空気が、それぞれ泡生成部に送出され、この内容液と空気が泡生成部で混合発泡されて生成した泡が頭部に設けた吐出口から吐出可能にされる泡吐出器であって、シリンダの下部に空気室の底部に連通する排水孔を備えるとともに、シリンダの該排水孔を閉塞する閉塞体が設けられるようにしたものである。
【発明の効果】
【０００７】
本発明によれば、泡吐出器において、空気室における外水の長期に渡る滞留及び蓄積を防ぐことができる。
【図面の簡単な説明】
【０００８】
【図１】図１は泡吐出器を示す断面図である。
【図２】図２は泡吐出器の容器本体からキャップ及び頭部並びにシリンダを取外す状態を示す断面図である。
【図３】図３は図１の要部拡大断面図である。
【図４】図４はシリンダと閉塞体の嵌合状態を断面視で示す斜視図である
【図５】図５はシリンダと閉塞体の分離状態を断面視で示す斜視図である。
【図６】図６はシリンダを示す断面図である。
【図７】図７は図６の平面図である。
【図８】図８は閉塞体を示す断面図である。
【図９】図９は図８の平面図である。
【発明を実施するための形態】
【０００９】
泡吐出器１０は、図１に示す如く、洗剤等の内容液が収容された容器本体１の口部１Ａの側に、キャップ２０の取付部２０Ａを固定する。キャップ２０の取付部２０Ａの内側部にはシリンダ３０の大径部３０Ａの上端部が嵌着されて突当てられ、大径部３０Ａの上端部にパッキン３１とともに、キャップ２０の取付部２０Ａの内側部と容器本体１の口部１Ａとの間に挟圧固定される。
【００１０】
シリンダ３０は大径部３０Ａに連なる小径部３０Ｂを有し、小径部３０Ｂにディップチューブ３２を嵌合し、このディップチューブ３２を容器本体１の内部に挿入している。シリンダ３０は、外部の空気が吸入される空気室Ａを大径部３０Ａの内部に形成し、容器本体１の内容液が導入される液室Ｌを小径部３０Ｂの内部に形成する。キャップ２０の筒部２０Ｂには頭部４０のステム４１が上下方向に往復動可能に嵌着される。泡吐出器１０は、頭部４０を往復動させることにより、容積可変の液室Ｌから内容液を、容積可変の空気室Ａから空気を、それぞれステム４１の内部に設けてある後述する混合部８０Ａで混合させるとともに、泡生成部８０で発泡させ、生成した泡を頭部４０に設けた吐出口４２Ａから吐出する。
【００１１】
ここで、泡吐出器１０にあっては、空気室Ａに吸入される外部の空気に混入していた外水の該空気室Ａにおける長期に渡る滞留及び蓄積を防ぐため、容器本体１の側に閉塞体９０を設けている。本実施形態では、容器本体１の口部１Ａに閉塞体９０の取付部９０Ａを固定し、閉塞体９０の取付部９０Ａにキャップ２０の取付部２０Ａを固定することとしている。
【００１２】
尚、本明細書において、上下とは、泡吐出器１０の頭部４０が後述する圧縮コイルばね５３の付勢力に抗して押し込まれる往動方向に沿う方向を上下方向とし、頭部４０が押し込まれる往動側を下側、頭部４０が圧縮コイルばね５３の付勢力により上がる復動側を上側とする。
【００１３】
泡吐出器１０は、図１乃至図３に示す如く、頭部４０の吐出口４２Ａに至る吐出管路４２に通ずるステム４１の下端中空部に中空ピストンガイド５１を嵌合固定し、ピストンガイド５１の下端中空部に中空液ピストン５２の中空筒部５２Ａを嵌合固定し、液ピストン５２の外周ピストン部５２Ｂをシリンダ３０の小径部３０Ｂの内壁に摺動可能に挿入し、小径部３０Ｂの下端側ばね受け部３３及び後述するポペット６０の下端バルブ６２の上端面と液ピストン５２との間に圧縮コイルばね５３を介装している。即ち、頭部４０を押しているときには、圧縮コイルばね５３の下端部が小径部３０Ｂの下端側ばね受け部３３に支持されるとともに、ポペット６０の下端バルブ６２の上端面は圧縮コイルばね５３の下端部から離れる。頭部４０から手を離したときには、圧縮コイルばね５３の下端部が小径部３０Ｂの下端側ばね受け部３３に支持されるとともに、ポペット６０の下端バルブ６２の上端面は圧縮コイルばね５３の下端部に接する。泡吐出器１０は、ピストンガイド５１と液ピストン５２の中空部を液室Ｌから延在する液吐出路５４とし、ピストンガイド５１における液吐出路５４の上端部には上端側弁座５１Ａが設けられ、弁座５１Ａには液吐出路５４からの圧力によって開くボール弁５５が密接して載置される。
【００１４】
泡吐出器１０は、シリンダ３０の小径部３０Ｂから液ピストン５２、ピストンガイド５１に沿って延在するポペット６０を有し、ポペット６０の上端部６１をピストンガイド５１及び液ピストン５２の内周に摩擦嵌合し、ポペット６０の下端バルブ６２を小径部３０Ｂの下端側弁座３４に密接して配置し、容器本体１の内部に対して液室Ｌを開閉する。ポペット６０の外周溝と液ピストン５２の内周との間、更にはピストンガイド５１の内周溝との間が前述の液吐出路５４とされる。ポペット６０の下端側の一部はコイルばね５３の中心部に延在する。ポペット６０の下端バルブ６２は液ピストン５２により収縮されて加圧される液室Ｌの液圧により下端側弁座３４（小径部３０Ｂの下端に形成された縮径領域）に押圧されて閉じ状態とされる。液室Ｌが最大拡張端にある図１の初期状態で、コイルばね５３はポペット６０が上方へ移動しない程度に下端バルブ６２の上端面に接している。
【００１５】
泡吐出器１０は、頭部４０の上下の往復動に連動して液室Ｌ内を上下動するピストンガイド５１及び液ピストン５２を有し、ポペット６０の下端バルブ６２がピストンガイド５１及び液ピストン５２の上動に連動して弁座３４から離れ、かつ液ピストン５２の上動により拡張される液室Ｌに容器本体１の内容液を吸入し、ポペット６０の下端バルブ６２がピストンガイド５１及び液ピストン５２の下動に連動して弁座３４に接し、かつ液ピストン５２の下動により収縮される液室Ｌの内容液を液吐出路５４経由で弁座５１Ａと離れて開かれたボール弁５５から後述する混合部８０Ａ、泡生成部８０に吐出する。
【００１６】
即ち、泡吐出器１０は、頭部４０の上下の往復動に連動して液室Ｌ内を上下動する液ピストン５２を有し、頭部４０が上動する吸入行程で液ピストン５２の上動により拡張される液室Ｌに容器本体１に収容されている内容液を吸入し、頭部４０が押込下動される吐出行程で液ピストン５２の下動により収縮される液室Ｌの内容液を後述する混合部８０Ａ、泡生成部８０に吐出する。
【００１７】
泡吐出器１０は、ピストンガイド５１の外周にエアピストン７０の中空筒部７０Ａを遊挿し、エアピストン７０のピストン部７０Ｂの外周リング部７０Ｃをシリンダ３０の大径部３０Ａの内壁に摺動自在に挿入する。本実施例では、頭部４０のステム４１の下端段差状内周孔にエアピストン７０の筒部７０Ａの上端部を挿入し、頭部４０を図１の初期状態から僅かに下動させたときに、ステム４１の内周孔の段差面がエアピストン７０の筒部７０Ａの上端面に突き当たる一定の時間差の後、頭部４０（ピストンガイド５１、液ピストン５２も一体）の下動によりエアピストン７０も下動させる。従って、エアピストン７０はピストンガイド５１の外周に沿って僅かに上下相対移動可能にし、それらの間に後述する開閉弁７４を形成可能にする。
【００１８】
泡吐出器１０は、エアピストン７０の空気室Ａに対する裏側に外気取り込み室７１を設け、頭部４０のステム４１とキャップ２０の筒部２０Ｂの間の微小環状間隙を外気取り込み室７１への外気取り込み路７１Ａとしている。泡吐出器１０は、外気取り込み室７１と空気室Ａを連通する空気の吸入口７２Ａをエアピストン７０のピストン部７０Ｂに設け、空気の吸入口７２Ａを開閉して外気取り込み室７１から空気室Ａへの空気の吸入を許容する吸入チェック弁７２をエアピストン７０のピストン部７０Ｂにおいて空気室Ａに臨む側に設ける。
【００１９】
泡吐出器１０は、ピストンガイド５１の外周溝とエアピストン７０の筒部７０Ａの内周との間から、更にピストンガイド５１の外周とステム４１の内周溝との間に連続する上下に続く空気排出路７３を設け、ピストンガイド５１の中間フランジ部５１Ｂとエアピストン７０の筒部７０Ａの下端との間に空気排出口を開閉する開閉弁７４を形成する（図３）。開閉弁７４は、頭部４０の下動時に頭部４０とともに下動するピストンガイド５１の中間フランジ部５１Ｂをエアピストン７０の筒部７０Ａの下端から離隔させてそれらの間の開閉弁７４を開き（図３）、頭部４０の上動時に該頭部４０とともに上動するピストンガイド５１の中間フランジ部５１Ｂをエアピストン７０の筒部７０Ａの下端に下から衝合させてそれらの下端間の開閉弁７４を閉じる。
【００２０】
尚、頭部４０は、筒状カバー７５を吊下げ、カバー７５によりステム４１及びキャップ２０の筒部２０Ｂの上領域を囲み、カバー７５の下端部によりキャップ２０の筒部２０Ｂまわりに微小間隙を形成する。カバー７５は外気取り込み路７１Ａへの外水の浸入を困難にする。
【００２１】
即ち、泡吐出器１０は、頭部４０の上下の往復動に連動して空気室Ａ内を上下動するエアピストン７０を有し、頭部４０が上動する吸入行程でエアピストン７０の上動により拡張される空気室Ａに外部の空気を吸入し、頭部４０が押込下動される吐出行程でエアピストン７０の下動により収縮される空気室Ａの空気を後述する混合部８０Ａ、泡生成部８０に排出する。
【００２２】
泡吐出器１０は、頭部４０の吐出管路４２に混合部８０Ａ、泡生成部８０を備える。混合部８０Ａは、液吐出路５４と空気排出路７３の会合領域（ボール弁５５の直上部）に設けられ、液室Ｌから吐出された内容液と空気室Ａから排出された空気とを混合する。泡生成部８０は、混合部８０Ａから頭部４０の吐出口４２Ａに至る吐出管路４２に設けられ、混合部８０Ａで混合された内容液と空気とを発泡させ、生成した泡を吐出口４２Ａから吐出する。
【００２３】
泡吐出器１０は、シリンダ３０の空気室Ａに吸入される外部の空気に混入していた外水の該空気室Ａにおける長期に渡る滞留及び蓄積を防ぐため、閉塞体９０を備える。閉塞体９０は、容器本体１における口部１Ａの外周ねじ部１Ｂに螺着される内周ねじ部９０Ｂを取付部９０Ａの下端内周部に備え、この内周ねじ部９０Ｂを容器本体１の外周ねじ部１Ｂに螺着されて該容器本体１の口部１Ａに着脱可能に固定される。
【００２４】
尚、閉塞体９０は、取付部９０Ａの上端外周部に外周ねじ部９０Ｃを備える。キャップ２０は、取付部２０Ａが備える内周ねじ部２０Ｃを閉塞体９０の外周ねじ部９０Ｃに螺着され、この閉塞体９０を介して容器本体１の口部１Ａに着脱可能に取付けられる。
【００２５】
このとき、泡吐出器１０は、図３、図４、図５、図６、図７に示す如く、シリンダ３０の下部に、空気室Ａを形成している大径部３０Ａの底部３０Ｃに連通する排水孔３５を備える。閉塞体９０の取付部９０Ａが容器本体１の口部１Ａに着脱可能に取付けられ、キャップ２０及び頭部４０並びにシリンダ３０が閉塞体９０の取付部９０Ａを介して容器本体１の口部１Ａに取付けられた状態で、容器本体１の内部に設置されたシリンダ３０の下側に閉塞体９０が配置されるものになり、シリンダ３０の排水孔３５が閉塞体９０によって閉塞可能にされる。閉塞体９０がシリンダ３０の下部から離脱されるとき、シリンダ３０内の空気室Ａが閉塞孔３５を介して外部に開放されるものになる。
【００２６】
尚、シリンダ３０の底部３０Ｃは、小径部３０Ｂに連なる中央部が大径部３０Ａの外周部の側に対して上向きに凸の円錐状をなすように立上り、該底部３０Ｃの外周部の周方向の一部に排水孔３５を備える。具体的には、底部３０Ｃの外周部の周方向に沿って順に例えば６０度、１２０度、６０度、１２０度をなす各角度範囲のそれぞれに、円弧孔状排水孔３５、常閉部３６、円弧孔状排水孔３５、常閉部３６を備える。また、シリンダ３０における底部３０Ｃの各常閉部３６に対応する裏面側には、各排水孔３５と周方向で連続する円弧溝状凹部３７が形成されている。
【００２７】
そして、閉塞体９０は、具体的には、図３、図４、図５、図８、図９に示す如くの仕切り栓９１からなるものとされている。仕切り栓９１は、円環状の外周壁９２を有し、その外周壁９２の内周側下部と内周側上部のそれぞれに、内周ねじ部９０Ｂを備える円環状の内周ねじ壁９３と、外周ねじ部９０Ｃを備える円環状の外周ねじ壁９４を連設して備える。また、仕切り栓９１は、内周ねじ壁９３の内周側に円環状の内周壁９５を連設して備え、この内周壁９５の下端部に下向きに凸をなす円錐状の仕切り壁９６を連設して備える。従って、泡吐出器１０にあっては、頭部４０及びシリンダ３０がキャップ２０に嵌着され、該キャップ２０が容器本体１の口部１Ａに取付けられた仕切り栓９１に着脱可能に取付けられるものになる。
【００２８】
閉塞体９０を構成する仕切り栓９１の仕切り壁９６は、容器本体１の内部に設置されたシリンダ３０の下側に配置された状態で、シリンダ３０の下部に備えた排水孔３５を容器本体１の内容液収容空間２に対して仕切り、シリンダ３０の下部との間に排水だまり９７を区画する。そして、仕切り栓９１の仕切り壁９６には、容器本体１の内部に設置されたシリンダ３０の小径部３０Ｂが隙間なく挿通される開口部９６Ａが形成される。
【００２９】
仕切り栓９１における仕切り壁９６の外周部には、シリンダ３０の底部３０Ｃに備えた排水孔３５、及びシリンダ３０における底部３０Ｃの裏面側に形成されている円弧溝状凹部３７に嵌合する円環状凸部９８が突設されている。このとき、仕切り栓９１の円環状凸部９８は排水孔３５及び円弧溝状凹部３７の各外周側に嵌合し、排水孔３５の開口領域を内周側において閉じることがなく、結果として、シリンダ３０の空気室Ａを排水孔３５経由で排水だまり９７に連通可能にしており、仕切り栓９１の仕切り壁９６が当該排水孔３５を外部に対して間接的に閉塞可能にする。
【００３０】
仕切り栓９１における仕切り壁９６の外周側に位置する内周壁９５の周方向複数か所には、液流通用窓部９９が形成される。
【００３１】
泡吐出器１０は以下の如くに使用される。
（動作１）
(1)図１の初期状態から頭部４０を押すと最初に頭部４０と一体となって、ピストンガイド５１、ピストン５２、ポペット６０が下へ下がる。
【００３２】
(2)ポペット６０の下端バルブ６２がシリンダ３０の小径部３０Ｂの下端側に設けられた弁座３４に当たり、液室Ｌを閉じる。
【００３３】
(3)エアピストン７０はこの時点では動かないため（頭部４０とエアピストン７０の上端の隙間が狭くなる）、エアピストン７０の筒部７０Ａの下端とピストンガイド５１の中間フランジ部５１Ｂの間に開閉弁７４による隙間ができ、この隙間が空気室Ａの排出口となる。
【００３４】
（動作２）
(1)頭部４０を更に押すと、頭部４０と一体となって、ピストンガイド５１、ピストン５２、エアピストン７０が下へ下がる。
【００３５】
(2)空気室Ａ内の空気は空気排出路７３を通り、液室Ｌ内の液は液吐出路５４を通り、混合部８０Ａで混合され泡となる。発泡した内容液は、泡生成部８０で細かな泡となり、頭部４０の吐出口４２から吐出される。
【００３６】
（動作３）
(1)頭部４０を押すのをやめて頭部４０から手を離すと、頭部４０と一体となって、ピストンガイド５１、ピストン５２、ポペット６０がコイルばね５３のばね力で上がる。
【００３７】
(2)ポペット６０の下端がシリンダ３０の小径部３０Ｂの弁座３４から離れ隙間ができ、液室Ｌを開く。
【００３８】
(3)エアピストン７０はこの時点では動かないため（頭部４０とエアピストン７０の上端の隙間が広くなる）、エアピストン７０の筒部７０Ａの下端とピストンガイド５１の中間フランジ部５１Ｂの間の開閉弁７４による隙間が閉じ、空気排出口が閉じられる。
【００３９】
（動作４）
(1)頭部４０が更に上昇すると、頭部４０と一体となって、ピストンガイド５１、ピストン５２、エアピストン７０が上昇する。
【００４０】
(2)空気室Ａ内は負圧となるため、吸入チェック弁７２が開き、空気吸入口７２Ａを通り空気室Ａ内へ空気が吸入される。また、液室Ｌ内も負圧となるため、容器本体１内の内容液がディップチューブ３２を通って液室Ｌへ導入される。
【００４１】
(3)図１の初期状態に戻る。
【００４２】
泡吐出器１０にあっては、以上の動作の繰り返しにより、容器本体１内の内容液が使い切られる度に、キャップ２０及び頭部４０並びにシリンダ３０が容器本体１から取外され、容器本体１に新たな内容液が詰め替えられて再使用に供される。
【００４３】
しかるに、本実施形態によれば以下の作用効果を奏する。
(a)泡吐出器１０において、シリンダ３０の下部に空気室Ａの底部に連通する排水孔３５を備えるとともに、シリンダ３０の上記排水孔３５を閉塞する閉塞体９０が設けられる。従って、泡吐出器１０における内容液の詰替え時にキャップ２０及び頭部４０並びにシリンダ３０が容器本体１から取外されるときには、シリンダ３０の下部に備えられていて空気室Ａの底部に連通する排水孔３５を閉塞していた閉塞体９０が該シリンダ３０の下部から離脱し、排水孔３５を外部に対して開放するものになる。これにより、エアピストン７０の空気室Ａに対する裏側上部に設けた外気取り込み室７１から空気室Ａに吸入された外部の空気に混入していた外水が、外部の空気とともに空気室Ａに浸入して一時滞留していたとしても、空気室Ａに浸入した上述の外水は、閉塞体９０の離脱とともに空気室Ａの側から解放されて外方に放出される。即ち、空気室Ａに浸入した外水は、泡吐出器１０への内容液の詰替えの度に容易に除去され、該空気室Ａにおける外水の長期に渡る滞留及び蓄積を防ぐことができる。よって、空気室Ａにおいて、外水の長期に渡る滞留による菌等の発生のおそれや、外水の長期に渡る多量の蓄積によって泡生成部８０に送出される空気量の減少による泡生成部８０での泡生成を損なうおそれを回避できる。
【００４４】
(b)閉塞体９０が容器本体１の内部に設置されたシリンダ３０の下側に配置される。これにより、泡吐出器１０への内容液の詰替え時に、キャップ２０及び頭部４０並びにシリンダ３０が容器本体１から取外されるに伴い、閉塞体９０はシリンダ３０の下部から直ちに離脱するものになる。
【００４５】
(c)閉塞体９０が、シリンダ３０の下部に備えた排水孔３５を容器本体１の内容液収容空間２に対して仕切り、シリンダ３０の下部との間に排水だまりを区画する仕切り壁９６を備えた仕切り栓９１からなり、仕切り栓９１の仕切り壁９６には、容器本体１の内部に設置されたシリンダ３０の小径部３０Ｂが隙間なく挿通される開口部９６Ａが形成される。従って、外部の空気に混入して空気室Ａに浸入した外水は、シリンダ３０の下部に備えた排水孔３５から排水され、仕切り栓９１の仕切り壁９６が区画する排水だまりに一時貯留される。
【００４６】
このとき、空気室Ａ及び排水だまりは、仕切り栓９１の仕切り壁９６により、容器本体１の内容液収容空間２に対して遮断されていて、エアピストン７０による空気室Ａの負圧動作及び加圧動作を損なうおそれがない。
【００４７】
また、外水は、排水孔３５を介して空気室Ａと連通している排水だまりの側に貯留されていて、空気室Ａそのものに貯留されるものでないから、空気室Ａ内の空気と再び混和し難いし、空気室Ａの容積を減縮する存在にもならず、該空気室Ａから泡生成部８０に送出される空気量を適正に維持して泡生成部８０での泡生成を損なうことがない。
【００４８】
尚、この一時貯留された外水は、泡吐出器１０における内容液の詰替え時に、容器本体１から取外されるシリンダ３０の小径部３０Ｂが抜去されることとなる仕切り栓９１の開口部９６Ａから外方へ放出されて除去される。
【００４９】
(d)仕切り栓９１における仕切り壁９６の外周側に、液流通用窓部９９が形成される。泡吐出器１０における内容液の詰替え時に、容器本体１からキャップ２０及び頭部４０並びにシリンダ３０を取外した後、仕切り栓９１をそのまま容器本体１の口部に取付けたままの状態で、詰め替え液を仕切り栓９１の液流通用窓部９９から容器本体１の内容液収容空間２へスムースに供給でき、泡吐出器１０における詰め替え作業性を向上できる。
【００５０】
(e)頭部４０及びシリンダ３０がキャップ２０に嵌着され、該キャップ２０が容器本体１の口部に取付けられた仕切り栓９１に着脱可能に取付けられる。泡吐出器１０における内容液の詰替え時に、容器本体１の口部に取付けられたままの仕切り栓９１からキャップ２０を取外すとともに、頭部４０及びシリンダ３０を上記キャップ２０とともに容器本体１から取外しでき、上述(d)による泡吐出器１０における詰め替え作業性を向上できる。
【００５１】
本発明の泡吐出器に設けられる閉塞体は、シリンダが備える排水孔の開口領域自体を直接的に閉塞するものでも良い。
【産業上の利用可能性】
【００５２】
本発明によれば、泡吐出器において、空気室における外水の長期に渡る滞留及び蓄積を防ぐことができる。
【符号の説明】
【００５３】
１  容器本体
１Ａ  口部
２０  キャップ
３０  シリンダ
３０Ａ  大径部
３２  ディップチューブ
３５  排水孔
４０  頭部
４２Ａ  吐出口
８０  泡生成部
９０  閉塞体
９１  仕切り栓
９６  仕切り壁
９６Ａ  開口部
９７  排水だまり
９９  液流通用窓部
Ａ  空気室
Ｌ  液室
【図１】
2019172359.tif 000003
【図２】
2019172359.tif 000004
【図３】
2019172359.tif 000005
【図４】
2019172359.tif 000006
【図５】
2019172359.tif 000007
【図６】
2019172359.tif 000008
【図７】
2019172359.tif 000009
【図８】
2019172359.tif 000010
【図９】
2019172359.tif 000011